(57)【要約】【課題】眼鏡の装着を容易にするとともに、装着したときに耳の上位部にフィットすることができる。【解決手段】眼鏡の智２に丁番を介して回動可能に連結されたテンプル支持具４にテンプル５を支持させるとともに、テンプル支持具４を金属バネ材から構成し、中間部をくの字形に屈曲させるとともに、テンプル支持具４の後端をテンプル５の前部に結合させるとともに、テンプル５には、テンプル支持具４との結合部よりも前方の部分に断面コ字形のカバー部８を形成し、カバー部８の内側開放部にテンプル支持具４をテンプル５の開き方向に余裕をもって収納するとともに、カバー部８の前端内側面はテンプル支持具４の屈曲部６の外側面に当たるように形成した。【選択図】　　　　図１
2004046029.tif 000002
【特許請求の範囲】
【請求項１】
眼鏡の智に丁番を介して回動可能に連結されたテンプル支持具にテンプルを支持させるとともに、テンプル支持具を金属バネ材から構成し、中間部をくの字形に屈曲させるとともに、テンプル支持具の後端をテンプルの前部に結合させるとともに、テンプルには、テンプル支持具との結合部よりも前方の部分に断面コ字形のカバー部を形成し、該カバー部の内側開放部から上記テンプル支持具をテンプルの開き方向に余裕をもって収納するとともに、カバー部の前端内側面はテンプル支持具の屈曲部の外側面に当たるように形成したことを特徴とする眼鏡のテンプルの取り付け構造。
【請求項２】
前記テンプル支持具の前記カバー部から露出した部分と該カバー部の上下の幅寸法が同じである、請求項１記載の眼鏡のテンプルの取り付け構造。
【発明の詳細な説明】
【０００１】
【発明の属する技術分野】
本発明は眼鏡のテンプルの取り付け構造、詳しくは眼鏡をかけやすくするとともに、眼鏡をかけたときにフィットするテンプルの取り付け構造に関する。
【０００２】
【従来の技術とその問題点】
眼鏡においてテンプルの開き角度、開き幅は標準的に製造され、開き幅は装着前には人の顔の幅よりも狭く形成されている。したがって、眼鏡を使用するときはテンプルを強制的に開いてから装着する。開くときの力はテンプルだけでなく、蝶番や智、リムなどにも及び、テンプル以外の部分も変形するので好ましくない。また、眼鏡を装着したときに、着用者の耳の上位部にフィットするようにテンプルの開き角度を着用者の頭部の形や大きさに合わせて調整する必要があるので面倒である。
【０００３】
これに対し、テンプルが大きく開き、開いた後にフィットしやすいように、バネとスライダとを使った部品を組み込んだものや、テンプルの一部にバネ部材を利用したものも知られている。しかし、前者のものは構造が複雑でコストが高くなり、後者のものはバネ部材の断面が円形であるのに対してテンプル本体は長方形なので、横から見たときのデザインに見劣りがするという問題があった。
【０００４】
【発明が解決しようとする課題】
本発明は上記の事情に鑑みてなされたものであって、特に簡単な構造によって眼鏡の装着を容易にするとともに、装着したときに耳の上位部にフィットすることができる、眼鏡のテンプルの取り付け構造を提供することをその課題とする。
【０００５】
【課題を解決するための手段】
前記課題を解決するための手段として、本発明に係る眼鏡におけるテンプルの取り付け構造は、眼鏡の智に丁番を介して回動可能に連結されたテンプル支持具にテンプルを支持させるとともに、テンプル支持具を金属バネ材から構成し、中間部をくの字形に屈曲させるとともに、テンプル支持具の後端をテンプルの前部に結合させるとともに、テンプルには、テンプル支持具との結合部よりも前方の部分に断面コ字形のカバー部を形成し、該カバー部の内側開放部に上記テンプル支持具をテンプルの開き方向に余裕をもって収納するとともに、カバー部の前端内側面はテンプル支持具の屈曲部の外側面に当たるように形成したことを特徴とする。
【０００６】
なお、前記テンプル支持具の前記カバー部から露出した部分と該カバー部の上下の幅寸法が同じであるのが好ましい。
【０００７】
【発明の実施の形態】
以下、図面によって本発明の実施の形態について説明する。
【０００８】
図１において、符号１は眼鏡のリムを示し、１ａはレンズを示す。リム１の側部には智２が接合され、智２には丁番３とテンプル支持具４を介してテンプル５が取り付けられている。
【０００９】
次に、図２に示されるように、テンプル支持具４はＮＴチタンなどの金属バネ材から構成され、中間部はくの字形に屈曲されている。屈曲部６の前後は湾曲している。テンプル支持具４の後端はテンプル５の前部にロウ付けなどの手段によって結合されている。テンプル支持具４の外側面には彫刻や色付けを施してもよい。
【００１０】
テンプル５の前部には、図１〜図３に示されるように、テンプル支持具４との結合部よりも前方の部分に断面コ字形のカバー部８が一体に形成されている。すなわち、カバー部８は上片８ａと下片８ｂと側片８ｃとから構成されているとともに、上下片８ａ、８ｂの間に形成されるスペースはテンプル支持具４を収納できる程度で、しかもテンプル支持具４の肉厚よりも広くなるように形成されている。したがって、カバー部８の内側開放部から上記テンプル支持具４をテンプル５の開き方向に余裕をもって収納される。
【００１１】
テンプル５はチタンなどの金属材料からなり、テンプル支持具４の上記カバー部から露出した部分とテンプル５の上下の幅寸法が同じに設定されている。
なお、テンプル支持具４の後端をテンプル５の前部に結合したとき、テンプル５の開き角度は従来と同じ程度に設定されている。そして、不使用時にはテンプル５のカバー部８の開放面にテンプル支持具４の内側面が整合するように形成され、使用時等にテンプル５を開いたときには、カバー部８の側片８ｃの内側面はテンプル支持具４の屈曲部６より後部４ａの外側面に当たるように形成されている。
【００１２】
上記構成の眼鏡は、テンプル支持具４とテンプル５のカバー部８の上下の幅寸法が同じであるから、横から見たときに図４のように連続的に見えるから、デザイン的に自然である。また、上から見たときにテンプル支持具４はテンプル５のカバー部８内に収納されているので、テンプル支持具４とテンプル５との間に指やものを挟んでしまうことがない。
【００１３】
上述の眼鏡を使用するときは、テンプル５を耳の上部にかけるときにテンプル５を開くが、テンプル５を開くときに加わる力はテンプル支持具４の弾性変形によって吸収されるので、智２やリムに力が及ぶことはない。
【００１４】
しかも、テンプル支持具４は弾性を備えているとともに、くの字形に屈曲形成されているから、初めは主に屈曲部６よりも後部６ａが撓み、テンプル５を小さな力でも大きく曲げることができる。しかし、テンプル５は無限定に開くわけでなく、カバー部８の側片８ｃの内側面はテンプル支持具４の屈曲部６より後方の部分４ａの外側面に当たるので、ここが一応のストッパになる。通常の場合、この位置で十分に眼鏡をスムーズにかけられる。さらに、不測の事情によりテンプル５にそれ以上に開く力が加わっても、上記テンプル支持具４の屈曲部６より前方の部分４ｂが撓んでさらに大きく開く。したがって、テンプル５自体は同じ形状を保持しつつ、全体として非常に大きく開くことができる。
【００１５】
眼鏡をかけ終わったとき、テンプル５は元の開き角度に復帰しようとするから、テンプル支持具４の弾性によってテンプル５が装用者の両耳の上部を内側に締め付けるから、よくフィットする。
【００１６】
また、テンプル５の開き角度、開き幅が簡単、且つ楽に調整でき、これによって、眼鏡を求めた人に合わせてテンプル５の開き角度のフィッテング作業を素早く行うことができる。
【００１７】
【発明の効果】
請求項１に係る発明によれば、眼鏡を使用するにあたって、テンプルを耳の上部にかけるときにテンプルを開くときに加わる力は、テンプル支持具の弾性変形によって吸収されるので、智やリムに力が及ぶことはない。
【００１８】
しかも、テンプル支持具は弾性を備えているとともに、くの字形に屈曲形成されているから、初めは主に屈曲部よりも後部が撓み、テンプルを小さな力でも大きく曲げることができる。そして、不測の事情によりテンプルにそれ以上に開く力が加わっても、上記屈曲部の前部が撓んでさらに大きく開く。したがって、テンプル自体は同じ形状を保持しつつ、全体として非常に大きく開くことができる。
【００１９】
眼鏡をかけ終わったとき、テンプルは元の開き角度に復帰しようとするから、テンプル支持具の弾性によってテンプルが装用者の両耳の上部を内側に締め付けるから、よくフィットする。
【００２０】
請求項２に係る発明によれば、テンプル支持具とテンプルの上下の幅寸法が同じであるから、横から見たときに連続的に見えるから、デザイン的に自然である。
【図面の簡単な説明】
【図１】本発明に係る眼鏡におけるテンプルの取り付け構造の要部の斜視図
【図２】上記取り付け構造の要部の一部を断面で示す平面図
【図３】図２のＸ−Ｘ線上の断面図
【図４】テンプルの取り付け構造の要部の側面図
【符号の説明】
２　智
３　丁番
４　テンプル支持具
５　テンプル
【図１】
2004046029.tif 000003
【図２】
2004046029.tif 000004
【図３】
2004046029.tif 000005
【図４】
2004046029.tif 000006